(57)【要約】【課題】マイナスイオンは自然界に存在し、例えば滝の近くではマイナスイオンが多く存在することが知られている。このことは、衝突などのエネルギーによってより多くのマイナスイオンが発生することを示唆している。そこで、本発明は、マイナスイオン発生構造を装備した器具等が動いたときに、それと共に動くマイナスイオン発生部にエネルギーを与えてマイナスイオンをより多く発生させるための構造を提供することを目的とする。【解決手段】マイナスイオン発生成分を有するマイナスイオン発生部を備えたマイナスイオン発生構造であって、該マイナスイオン発生構造が移動するときに、前記マイナスイオン発生部も移動しながら継続的に衝突又は摩擦を受けることを特徴とする。【選択図】　図１
2004113691.tif 000002
【特許請求の範囲】
【請求項１】
マイナスイオン発生成分を有するマイナスイオン発生部を備えたマイナスイオン発生構造であって、該マイナスイオン発生構造が移動するときに、前記マイナスイオン発生部も移動しながら継続的に衝突又は摩擦を受けることを特徴とするマイナスイオン発生構造
【請求項２】
マイナスイオン発生部は粒状に形成され、移動するマイナスイオン発生部が衝突するための壁が形成されている請求項１記載のマイナスイオン発生構造
【請求項３】
壁は、マイナスイオン発生構造に設けられた空所の内面である請求項２記載のマイナスイオン発生構造
【請求項４】
空所内に少なくとも一対の対向するほぼ平面の壁を有し、少なくとも一対の壁の間の間隔はマイナスイオン発生部の外径の２倍より小さい請求項３記載のマイナスイオン発生構造
【請求項５】
少なくとも１個のマイナスイオン発生部と共に、マイナスイオンを発生しない少なくとも１個の粒が空所に配備されている請求項３又は請求項４記載のマイナスイオン発生構造
【請求項６】
マイナスイオン発生成分を有するマイナスイオン発生部を備えたマイナスイオン発生構造であって、前記マイナスイオン発生部は、発熱手段から生じる温風熱又は放射熱を受け得ることを特徴とするマイナスイオン発生構造
【請求項７】
マイナスイオン発生構造はヘアブラシに装備され、空所がブラシ毛の基台に設けられている請求項３乃至請求項６記載のマイナスイオン発生構造
【請求項８】
マイナスイオン発生構造はヘアブラシ又は櫛などの整髪具に装備され、ブラシ毛や櫛歯などの髪梳き部がマイナスイオン発生部である請求項１又は請求項６記載のマイナスイオン発生構造
【請求項９】
マイナスイオン発生構造は置物に装備され、該置物は揺動可能であって、空所が置物の内部に設けられている請求項３記載のマイナスイオン発生構造
【発明の詳細な説明】
【０００１】
【発明の属する技術分野】
本発明はマイナスイオン発生構造に関し、特に日常身近に用いる器具等に装備するマイナスイオン発生構造に関する。
【０００２】
【従来の技術】
近年、マイナスイオンの健康治療的効果が注目されており、マイナスイオンを発生させる物質について研究がなされている。そして、マイナスイオン発生物質の使用例として、腰バンドやベストにシート状のマイナスイオン発生物質を縫製したものが挙げられている（例えば、特許文献１）。
【０００３】
【特許文献１】
特許第３０３５２７９号公報（第７−８頁）
【０００４】
【発明が解決しようとする課題】
上述したマイナスイオン発生物質は置いておくだけでもマイナスイオンを発生させるものであり、その使用例は、前述したように腰バンドやベストなど人体に装着するものである。マイナスイオン発生物質を備えた腰バンドなどは人体と共に動くが、腰バンド自体は体に装着する作業時を除き人体に対して相対的に移動することがない。
【０００５】
マイナスイオンは自然界にも存在し、例えば滝の近くではマイナスイオンが多く存在することが知られている。このことは、衝突などのエネルギーによってより多くのマイナスイオンが発生することを示唆している。そこで、本発明は、マイナスイオン発生構造を装備した器具等が動いたときに、それと共に動くマイナスイオン発生部にエネルギーを与えてマイナスイオンをより多く発生させるための構造を提供することを目的とする。
【０００６】
【課題を解決するための手段】
本発明の請求項１は、マイナスイオン発生成分を有するマイナスイオン発生部を備えたマイナスイオン発生構造であって、該マイナスイオン発生構造が移動するときに、前記マイナスイオン発生部も移動しながら継続的に衝突又は摩擦を受ける構成である。
【０００７】
請求項２は、マイナスイオン発生部は粒状に形成され、移動するマイナスイオン発生部が衝突するための壁が形成されているという要素を請求項１に加えた構成である。請求項３は、壁が、マイナスイオン発生構造に設けられた空所の内面であるという要素を請求項２に加えた構成である。請求項４は、空所内に少なくとも一対の対向するほぼ平面の壁を有し、少なくとも一対の壁の間の間隔はマイナスイオン発生部の外径の２倍より小さいという要素を請求項３に加えた構成である。
【０００８】
請求項５は、少なくとも１個のマイナスイオン発生部と共に、マイナスイオンを発生しない少なくとも１個の粒が空所に配備されているという要素を請求項３又は請求項４に加えた構成である。
【０００９】
請求項６は、マイナスイオン発生成分を有するマイナスイオン発生部を備えたマイナスイオン発生構造であって、前記マイナスイオン発生部は、発熱手段から生じる温風熱又は放射熱を受け得る構成である。
【００１０】
請求項７は、マイナスイオン発生構造はヘアブラシに装備され、空所がブラシ毛の基台に設けられている要素を請求項３乃至請求項６に加えた構成である。
【００１１】
請求項８は、マイナスイオン発生構造はヘアブラシ又は櫛などの整髪具に装備され、ブラシ毛や櫛歯などの髪梳き部がマイナスイオン発生部である要素を請求項１又は請求項６に加えた構成である。
【００１２】
請求項９は、マイナスイオン発生構造は置物に装備され、該置物は揺動可能であって、空所が置物の内部に設けられている要素を請求項３に加えた構成である。
【００１３】
【発明の効果】
本発明は以上のような構成であって、請求項１は、マイナスイオン発生構造が移動するときに、前記マイナスイオン発生部も移動しながら継続的に衝突又は摩擦を受ける構成である。したがって、使用する際に動きを伴う手持ちの器具等を使用するときに、マイナスイオン発生構造が手持ち器具と共に自動的に移動し、マイナスイオン発生部がマイナスイオン発生構造に対し独自に移動し、あるいはマイナスイオン発生部がマイナスイオン発生構造と一体的に移動して、マイナスイオン発生部は衝突又は摩擦を受ける。上述したようにマイナスイオン発生部が衝突や摩擦によるエネルギーを受けるとマイナスイオンの発生が活発となるから、手持ちの器具を使用することによって自動的に多くのマイナスイオンを得ることができる。
【００１４】
請求項２は、マイナスイオン発生部は粒状に形成され、移動するマイナスイオン発生部が衝突するための壁が形成されている。したがって、マイナスイオン発生部は衝突によるエネルギーを受けることができる。請求項３は、壁が、マイナスイオン発生構造に設けられた空所の内面であるということを特徴としている。したがって、粒状のマイナスイオン発生部は移動によって空所の内面に数多く衝突するから、衝突のエネルギーを絶え間なく受け、マイナスイオンを多く発生することができる。請求項４は、空所内に少なくとも一対の対向するほぼ平面の壁を有し、少なくとも一対の壁の間の間隔はマイナスイオン発生部の外径の２倍より小さいという構成である。例えば、このマイナスイオン発生構造をヘアブラシに装備したときに、粒状のマイナスイオン発生部があまり自由に移動できると、空所の壁に衝突するときの速さが大きくなり、衝突音が大きくなって耳ざわりとなる。少なくとも一対の対向する壁の間隔をマイナスイオン発生部の外形の２倍より小さくすれば、マイナスイオン発生部とそれらの壁との距離は小さいので、衝突する速さを抑えることができて大きな衝突音の発生を防止できる。
【００１５】
請求項５は、少なくとも１個のマイナスイオン発生部と共に、マイナスイオンを発生しない少なくとも１個の粒が空所に配備されていることを特徴としている。マイナスイオン発生物質は高価であるからあまり多数のマイナスイオン発生部を使用することができない。しかし、少ないマイナスイオン発生部を空所に入れても、マイナスイオン発生部同士の衝突が非常に少なくなってマイナスイオンを効果的に発生できない。そこで、マイナスイオンを生じない粒を入れることによって、低コストでマイナスイオン発生部の衝突の機会を増やしてマイナスイオンをより多く発生させることができる。
【００１６】
請求項６は、マイナスイオン発生成分を有するマイナスイオン発生部を備えたマイナスイオン発生構造であって、前記マイナスイオン発生部は、発熱手段から生じる温風熱又は放射熱を受け得る構成である。マイナスイオン発生部は熱エネルギーによってもマイナスイオンをより多く発生するから、熱エネルギーを受けうる構成とすることによって、マイナスイオンを効果的に発生することができる。
【００１７】
請求項７は、マイナスイオン発生構造はヘアブラシに装備され、空所がブラシ毛の基台に設けられている構成である。したがって、このヘアブラシによって整髪するときに、ヘアブラシの移動に伴なってマイナスイオン発生部が空所の壁に衝突し、あるいはマイナスイオン発生部同士が衝突することによって多くのマイナスイオンを発生させることができる。
【００１８】
請求項８は、マイナスイオン発生構造はヘアブラシ又は櫛などの整髪具に装備され、ブラシ毛や櫛歯などの髪梳き部がマイナスイオン発生部である構成である。したがって、整髪中に整髪具の髪梳き部が髪の毛と摩擦して多くのマイナスイオンを発生させることができる。
【００１９】
請求項９は、マイナスイオン発生構造は置物に装備され、該置物は揺動可能であって、空所が置物の内部に設けられている。したがって、この置物を机などの上に置いて揺動させることによって、その机に向って作業等をしている者に対して多くのマイナスイオンを発生することができる。
【００２０】
【発明の実施の形態】
次に本発明の実施の形態を図面に従って説明する。図１から図３はヘアブラシに関する。ブラシ毛の基台１の内部に矩形の空所２が設けられ、その中にマイナスイオン発生部である複数の粒状のマイナスイオン発生体３が入れてある。空所２には、そのほかにマイナスイオン発生成分を有しない複数の粒状マイナスイオン不発生体４も入れてある。また、基台１の背部には空所２に通じる複数の通孔７が設けられている。基台１は透明のプラスチックで形成されているが透明に限定されないことは勿論であり、材料がプラスチックに限定されないことも勿論である。基台１を透明にしたときは、空所２の底からブラシ毛基部６が透けて見えないように底面に銀紙やアルミ箔やプラスチックなどのシート１８０を貼着することが好ましい。
【００２１】
空所２の縦の長さは図１に示した通り、基台１の縦の長さよりやや短い程度であって、マイナスイオン発生体３およびマイナスイオン不発生体４を縦に並べてそれら粒状体１個分の隙間があいている。空所２の横の長さは図３に示した通り、基台１の横の長さより幾分短く、粒状体３，４を横に並べてやや小さい隙間があいている。空所２の高さは粒状体３，４の外径よりも大きいが、粒状体２個分の外径よりも小さい。
【００２２】
ヘアブラシにおける空所２の形状は矩形に限定されるものでなく、上面と下面はほぼ平面で側面は円弧状であってもよく、粒状体３，４が移動できればどのような形状であってもよい。一対の対向する壁の間の間隔は粒状体３の外径の２倍より小さいことが好ましく、二対の対向する壁の間の間隔が粒状体３の外径の２倍より小さくても差し支えない。マイナスイオン発生体３及びマイナスイオン不発生体４の形状は小球の粒状体に限定されるものでなく、例えば米粒やサイコロのような形状であってもよい。また、大きさについては、すべて同じ大きさであってもよいがこれに限定されないことは勿論であり、マイナスイオン発生体３とマイナスイオン不発生体４のいずれかが他方よりも大きく形成されていてもよい。マイナスイオン不発生体４はプラスチックで形成されるが、これに限定されるものでなく他の物質、例えば金属等であってもよいことは勿論である。
【００２３】
次に、粒状のマイナスイオン発生体３の製造方法について説明する。マイナスイオン発生成分として天然鉱石の石英斑岩の微粒子を使用する。そして、石英斑岩とセラミックを７：３〜８：２程度の割合で混ぜ、さらに酸化銀を混合して焼結させる。酸化銀は抗菌処理のために用いられる。本発明の粒状マイナスイオン発生体はこのような構成に限定されないことは勿論であって、例えばマイナスイオン発生成分をマイナスイオン発生体の表面に付着させてもよい。あるいは、マイナスイオン発生成分である石英斑岩自体を例えば球状に研削したものであってもよい。
【００２４】
基台１に取り付けられたブラシ毛５及びそれらと一体のブラシ毛基部６もマイナスイオン発生部であり、マイナスイオン発生成分を有する材料で形成されている。ブラシ毛基部６を設けず、ブラシ毛５を基台１に直接植毛してもよいことは勿論である。ブラシ毛基部６は基台１に接着してもよく、機械的に係合させてもよい。ブラシ毛５とブラシ毛基部６の材料としては、例えばマイナスイオン発生成分である石英斑岩の微粒子をエラストマ−に混練したものを用いる。
【００２５】
このようなヘアブラシで整髪すると、髪を梳く際にマイナスイオン発生体３が空所２の壁や他のマイナスイオン発生体３あるいはマイナスイオン不発生体４に衝突して多くのマイナスイオンを発生する。また、ヘアブラシの移動に伴なってマイナスイオン発生部であるブラシ毛５及びブラシ毛基部６が移動し、髪の間を通過しながら摩擦を受けるのでマイナスイオンを多く発生する。髪型を整えるためにドライヤーを使用すると、ドライヤーから発生する温風が通孔７から空所２内に入ってマイナスイオン発生体３に熱エネルギーを与えてマイナスイオンを多く発生する。さらには、ドライヤーの温風によって基台１が暖められ、その熱が放射熱となってマイナスイオン発生体３に熱エネルギーとして伝えられマイナスイオンを多く発生する。通孔７を設けることによって、より多くのマイナスイオンが放出される。
【００２６】
図４から図６は、おきあがりこぼしと同じしくみで揺動する置物である。この置物８は卵に近似した形状であって内部に空所９を有し、この空所９に粒状のマイナスイオン発生体３及び粒状のマイナスイオン不発生体４が入れられている。また、空所９の低部に重り１０が固定されている。置物８の上端からスリット１１が設けられており、このスリット１１で書類などを留めておくことができる。
【００２７】
置物８は机の上に置くなどし、机で作業をしているときなどに時々置物８を倒して揺動させる。そのときに、内部のマイナスイオン発生体３は移動して、空所９の壁や他のマイナスイオン発生体３あるいはマイナスイオン不発生体４から摩擦や衝突を受けるのでマイナスイオンを多く発生する。
【００２８】
図７及び図８は球状の置物である。この置物１２は内部に空所１３を有し、この空所１２に粒状のマイナスイオン発生体３及び粒状のマイナスイオン不発生体４が入れられている。球状の置物１２はコイルスプリング１５を介して吸盤１４により机などに固定することができる。そして、コイルスプリング１５によって置物１２は揺動する。マイナスイオンを多く発生する作用は前述した置物８と同じである。また、置物の表面に空所１３に通じる複数の通孔１６が設けられている。また、スリット１７が設けられているのは前述の置物８と同じである。
【図面の簡単な説明】
【図１】本発明の断面図である。
【図２】本発明の背面図である。
【図３】図２におけるＡ−Ａ断面図である。
【図４】本発明の実施例の正面図である。
【図５】本発明の実施例の側面図である。
【図６】図４におけるＡ−Ａ断面図である。
【図７】他の実施例の正面図である。
【図８】他の実施例の断面図である。
【符号の説明】
１　基台
２　空所
３　マイナスイオン発生体
４　マイナスイオン不発生体
５　ブラシ毛
６　ブラシ毛基部
７　通孔
８　置物
９　空所
１０　重り
１１　スリット
１２　置物
１３　空所
１４　吸盤
１５　コイルスプリング
１６　通孔
１７　スリット
１８　シート
【図１】
2004113691.tif 000003
【図２】
2004113691.tif 000004
【図３】
2004113691.tif 000005
【図４】
2004113691.tif 000006
【図５】
2004113691.tif 000007
【図６】
2004113691.tif 000008
【図７】
2004113691.tif 000009
【図８】
2004113691.tif 000010